(57)【要約】【課題】    使用者排便後の汚れた局部を洗浄する噴水装置と、局部を照射して消毒する紫外線殺菌灯を兼備した便器の開発。【解決手段】    この便器自体は便座とこれに枢接された蓋から構成される。この便器には２つのノズルを含む噴水装置と、フォトカタリチック被膜を塗布した、紫外線を放射する殺菌灯とが兼備され、制御装置で電源装置から電力を噴水装置と殺菌灯に供給、またこれらを作動して、使用者排便後の汚れた局部をノズルから清水を噴射して洗浄し、同時に殺菌灯で紫外線を照射して消毒するようにした。【選択図】    図１
0003108545.tif 000002
【実用新案登録請求の範囲】
【請求項１】
使用者排便後の局部の洗浄と殺菌を兼ねた便器において、
１つの便座と、
前記便座の一端に枢接された蓋と、
前記便座と蓋とが枢接された個所に取付けられた１つの電源装置と、
前記電源装置の下方部の便座に取付けられた、第１ノズルと第２ノズルを含んだ噴水装置と、
１つの手元制御装置、或いはリモ−ト制御装置と、
前記第１ノズルと第２ノズルの先端に設けられた、それぞれ１個または１個以上の殺菌灯を含み、
使用者が前記手元制御装置、或いはリモ−ト制御装置を操作することにより、
前記噴水装置の第１ノズル、または第２ノズルを伸出させ、清水を噴出して、
使用者の局部を洗浄し、
同時に前記殺菌灯から紫外線を放射して、使用者の局部を消毒殺菌することを特徴とする、
局部洗浄用噴水装置と消毒用殺菌灯付き便器。
【請求項２】
請求項１において、
殺菌灯の光線はフォト・カタリチック・フィルムを通じて放射されることを特徴とする、
局部洗浄用噴水装置と消毒用殺菌灯付き便器。
【請求項３】
請求項１において、
殺菌灯の光源はその自体にフォト・カタリチック・フィルムを直接塗布された発光ダイオ−ド(LED)か、或いはファイバーグラス(fiber glass)にフォト・カタリチック・フィルムを塗布した器具を用いたものであることを特徴とする、
局部洗浄用噴水装置と消毒用殺菌灯付き便器。
【考案の詳細な説明】
【技術分野】
【０００１】
本考案は特殊な便器に関するもので、排便後に使用者の局部洗浄と消毒を同時に行える、局部洗浄用噴水装置と消毒用殺菌灯付き便器に関するものである。
【背景技術】
【０００２】
従来行われている排便後、トイレットペーパーで汚れた局部を拂拭する方式は完全に清潔なものではなかった。
糞便が伝染病の一番危険な感染源であることは医学的に証明されているものである。
便器に噴水ノズルを付加して、排便後に使用者の局部を噴水によって洗浄する事は、トイレットペーパーで拭くより衛生上遙かに好ましいものである。
【０００３】
このように洗浄用噴水装置を付加した便器は、一例として、特許文献１に開示されたものがある。
この例での噴水装置は便器の後部に取付けられ、パイプで水源に接続されている。
噴水装置に含まれたノズルは後部のエルボー型のパイプと底蓋で構成され、ノズルの内腔部は下に向かって口が開かれ、その底に沿って複数のねじ孔が開設され、ねじで底蓋と螺合されている。
下に向いたテーパ状のパイプはノズル内腔の中央部を通り、ノズルの頂面に達している。
前記開口部には中央に位置する直線方向の通孔と幾つかのノズルの軸方向に開口部から一定の距離を隔てた所に、焦点を集中して傾斜した通孔が形成されている。
この例で挙げた噴水装置を使用した際には排便後の局部を洗浄することはできても、有害病菌を殺滅して消毒の効果を上げることは無理なものである。
【特許文献１】台湾特許５７６，４５９
【考案の開示】
【考案が解決しようとする課題】
【０００４】
（１）便器に局部洗浄用の噴水装置を備える以外、更に紫外線を放射する殺菌灯を付加して有害微生物のDNAやRNA破壊して、徹底した局部の消毒効果を達成できる便器。
（２）局部洗浄用噴水装置のノズルを手元制御、或いはリモート制御ができるようにする。
【０００５】
本考案は以上の点に鑑みて形成されたもので、その目的とするところは、付加価値の高い局部洗浄用噴水装置と便器を提供することにある。
さらに本考案は衛生的であり、かつ簡便に使用しうる局部洗浄用噴水装置と便器を提供することにある。
【課題を解決するための手段】
【０００６】
本願の第一考案に係る局部洗浄用噴水装置と消毒用殺菌灯付き便器は、使用者排便後の局部の洗浄と殺菌を兼ねた便器において、１つの便座と、前記便座の一端に枢接された蓋と、前記便座と蓋とが枢接された個所に取付けられた１つの電源装置と、前記電源装置の下方部の便座に取付けられた、第１ノズルと第２ノズルを含んだ噴水装置と、１つの手元制御装置、或いはリモ−ト制御装置と、前記第１ノズルと第２ノズルの先端に設けられた、それぞれ１個または１個以上の殺菌灯を含み、使用者が前記手元制御装置、或いはリモ−ト制御装置を操作することにより、前記噴水装置の第１ノズル、または第２ノズルを伸出させ、清水を噴出して、使用者の局部を洗浄し、同時に前記殺菌灯から紫外線を放射して、使用者の局部を消毒殺菌することを特徴とするものである。
本願の第二考案に係る局部洗浄用噴水装置と消毒用殺菌灯付き便器は、本願の第一考案に記載の消毒用殺菌灯付き便器において、殺菌灯の光線がフォト・カタリチック・フィルムを通じて放射されることを特徴とするものである。
本願の第三考案に係る局部洗浄用噴水装置と消毒用殺菌灯付き便器は、本願の第一考案に記載の消毒用殺菌灯付き便器において、殺菌灯の光源がその自体にフォト・カタリチック・フィルムを直接塗布された発光ダイオ−ドか、或いはグラスファイバーにフォト・カタリチック・フィルムを塗布した器具を用いたものであることを特徴とするものである。
【考案の効果】
【０００７】
本考案に係る局部洗浄用噴水装置と消毒用殺菌付き便器には使用者排便後、汚れた局部の洗浄と消毒を一挙に実行する機能を有しているので、病菌の伝染が抑制され、衛生上優れた効果を持つ。
【考案を実施するための最良の形態】
【０００８】
以下図面を参照にしながら本考案の好適な実施の形態を詳細に説明する。
図１と図２に示すように、本考案に係る便器１は楕円形の便座１１とその上にかぶさる同形の蓋１２から構成されていて蓋１２は便座１１の一端に枢接されている。便器を使用する際、蓋１２を上げ、使用後は蓋１２を下ろせばよい。
便座１１と蓋１２の枢接部付近には一つの電源装置（図示せず）が取付けられている。
電源装置の下には第１ノズル２１と第２ノズル２２を含んだ噴水装置２が取付けられており、前記電源装置からの供給電力で動作する。
【０００９】
手元制御装置13とリモ−ト制御装置(未図示)が便器1の外側に取付けられていて、使用者が排便後、それを作動することで洗浄水が噴出される。
図２に示すようにノズル21と22の先端には1つまたは複数の殺菌灯３が備え付けられていて、その光の照射で排便後の汚れた局部を消毒する。
この殺菌灯3の灯源としてはLEDが好適に使用される。
【００１０】
殺菌灯3の器具にはファイバ−・グラス(fiber glass)にフォト・カタリチック・フィルム(photocatalytic film)を塗布したものを用いるか、またはLED自体に直接この膜を塗布してもよい。
殺菌灯3から放射された不可視の紫外線はこの膜に吸収されて、空気中の酸素と水をオゾン(O3)に転換し、オゾンの強烈な酸化力により、空気中のバクテリアやその他の微生物を酸化して無害な二酸化炭素(CO2)や水(H2O)に転換する。
殺菌灯３による消毒作用は紫外線の照射により、細菌その他の微生物の細胞膜を破壊し、病毒性蛋白質を酸化して消毒の目的を達成し、病菌の伝染を制御する所にある。
【００１１】
手元制御装置１３とリモ−ト制御装置を作動して、第１ノズル２１かまたは、第２ノズル２２で清水を噴出させて、排便後の局部を洗浄し、同時に殺菌灯3で照射すれば洗浄と消毒の両目的を一挙に達成できるわけである。
【００１２】
なお、照射に使用される紫外線は、使用者の皮膚のアレルギ−反応を考慮に入れて設定する必要性がある。
設定の一例として、その波長を安全性の高い254nmにすることが考えられる。
【００１３】
本考案は、本考案の技術的思想から逸脱することなく、他の種々の形態で実施できる。
前述の実施例はあくまでも、本考案の技術内容を明らかにするためのものであって、このような具体例のみに限定して、本考案を狭義に解釈するべきではなく、本考案の精神と実用新案登録請求の範囲内で様々に変更して実施する事ができるものである。
【図面の簡単な説明】
【００１４】
【図１】本考案に係る便器の立体図
【図２】本考案に係る便器における噴水装置のノズルの構成図
【符号の説明】
【００１５】
１：便器                       １１：便座
２：噴水装置                   ２１：第１ノズル
２２：第２ノズル                 １３：手元制御装置
３：殺菌灯
【図１】
0003108545.tif 000003
【図２】
0003108545.tif 000004